(57)【要約】【課題】ロータとラインローラとの間の連結部のメンテナンスが行い易く、かつ、支持部材に支軸部材を固定する固定部材の緩みを防止可能な魚釣り用スピニングリールを提供すること。【解決手段】スピニングリール１は、固定ボルト２２との間で互いに対する回転が規制された状態で固定ボルト２２の頭部２４に被覆され、頭部２４の露出を防止するカバー部材５０を備える。第１のベール支持部材１２は、固定ボルト２２の頭部２４及びカバー部材５０が配置される凹状部３０を備える。また、凹状部３０は、カバー部材５０の第１のベール支持部材１２に対する回転を規制する側面部３２を備える。【選択図】図４
2012095569.tif 000002
【特許請求の範囲】
【請求項１】
ロータと、
前記ロータのアーム部に取り付けられる支持部材と、
前記支持部材に固定される支軸部材と、
前記支軸部材により回転軸を中心に回転可能に支持されるラインローラと、
前記支軸部材を前記支持部材に固定する固定部材と、
を具備する魚釣り用スピニングリールであって、
前記固定部材との間で互いに対する移動が規制された状態で前記固定部材の頭部に被覆され、前記頭部の露出を防止するカバー部材をさらに具備し、
前記支持部材は、前記固定部材の前記頭部及び前記カバー部材が配置される凹状部を備え、
前記凹状部は、前記カバー部材の前記支持部材に対する移動を規制する規制部を備えることを特徴とする魚釣り用スピニングリール。
【請求項２】
前記カバー部材は、前記回転軸に垂直な断面が非円形形状に形成され、
前記規制部は、前記凹状部の前記回転軸に垂直な断面を前記カバー部材に対応する非円形状に規定し、前記カバー部材の前記支持部材に対する回転を規制する側面部を備えることを特徴とする請求項１に記載の魚釣り用スピニングリール。
【請求項３】
前記カバー部材を前記支持部材に固定するカバー固定部材をさらに具備し、
前記カバー部材は、前記回転軸に平行な方向についての第１の寸法が、前記カバー固定部材の軸線を通り前記回転軸に直交する直線に平行な方向について、前記固定部材の前記カバー固定部材から遠い側の端と前記カバー部材の前記カバー固定部材から遠い側の端との間の第２の寸法より大きいことを特徴とする請求項１又は請求項２に記載の魚釣り用スピニングリール。
【請求項４】
前記頭部は、前記回転軸に垂直な断面が非円形状である係合溝を備え、
前記カバー部材は、前記回転軸に垂直な断面が前記係合溝に対応する非円形状であり、前記係合溝に係合することにより前記固定部材と前記カバー部材との間で互いに対する回転が規制される係合突起を備えることを特徴とする請求項１乃至請求項３のいずれか１に記載の魚釣り用スピニングリール。
【請求項５】
前記カバー部材は、前記支持部材より低比重かつ低ヤング率に形成されることを特徴とする請求項１乃至請求項４のいずれか１に記載の魚釣り用スピニングリール。
【請求項６】
前記カバー部材は、前記支持部材の外表面より外側に前記凹状部から突出していないことを特徴とする請求項１乃至請求項５のいずれか１に記載の魚釣り用スピニングリール。
【発明の詳細な説明】
【技術分野】
【０００１】
本発明は、ラインローラを介して釣り糸をスプールに案内する魚釣り用のスピニングリールに関する。
【背景技術】
【０００２】
魚釣り用のスピニングリールでは、釣り糸をスプールに案内するラインローラが、ロータのアーム部にベール支持部材等の支持部材を介して連結されている。支持部材には、固定ボルト等の固定部材を介して支軸部材が固定されている。そして、支軸部材によりラインローラが回転軸を中心に回転可能に支持されている。このような構成のスピニングリールでは、支軸部を支持部材に固定する固定部材の緩みを防止することが重要となる。
【０００３】
特許文献１には、固定部材である固定ボルトの頭部を多角形形状、星型形状等の非円形形状に形成したスピニングリールが開示されている。このスピニングリールは、固定ボルトの頭部に接触する状態で、支持部材であるベール支持部材に取り付けられる回転規制部材を備える。回転規制部材が固定ボルトの頭部に接触することにより、固定ボルトの回転が規制され、固定ボルトの緩みが防止される。
【先行技術文献】
【特許文献】
【０００４】
【特許文献１】特開２００９−１６５４６１号公報
【発明の概要】
【発明が解決しようとする課題】
【０００５】
上記特許文献１のスピニングリールでは、狭いスペースに固定ボルト及び回転規制部材が設けられている。また、固定ボルト及び回転規制部材は、支持部材であるベール支持部材の外表面に露出した状態で配置されている。このため、固定ボルト及び回転規制部材にエサ、砂、海水等の汚れが付着し易い。また、固定ボルト及び回転規制部材に汚れが付着した場合に、取り除き難い。したがって、ロータとラインローラとの間の連結部のメンテナンスが、行い難い。また、固定ボルト等に付着した汚れを放置すると、例えば汚れがラインローラの軸受けに浸入し、ラインローラの回転性能が低下する可能性もある。さらに、固定ボルトがベール支持部材の外表面に露出しているため、固定ボルトの頭部の角等で釣り糸が擦れる可能性がある。これにより、糸切れが発生する。
【０００６】
本発明は上記課題に着目してなされたものであり、その目的とするところは、ロータとラインローラとの間の連結部のメンテナンスが行い易く、かつ、支持部材に支軸部材を固定する固定部材の緩みを防止可能な魚釣り用スピニングリールを提供することにある。
【課題を解決するための手段】
【０００７】
上記目的を達成するため、本発明のある態様では、ロータと、前記ロータのアーム部に取り付けられる支持部材と、前記支持部材に固定される支軸部材と、前記支軸部材により回転軸を中心に回転可能に支持されるラインローラと、前記支軸部材を前記支持部材に固定する固定部材と、を備える魚釣り用スピニングリールであって、前記固定部材との間で互いに対する移動が規制された状態で前記固定部材の頭部に被覆され、前記頭部の露出を防止するカバー部材をさらに備え、前記支持部材は、前記固定部材の前記頭部及び前記カバー部材が配置される凹状部を備え、前記凹状部は、前記カバー部材の前記支持部材に対する移動を規制する規制部を備えることを特徴とする魚釣り用スピニングリールを提供する。
【０００８】
また、この魚釣り用スピニングリールでは、前記カバー部材は、前記回転軸に垂直な断面が非円形形状に形成され、前記規制部は、前記凹状部の前記回転軸に垂直な断面を前記カバー部材に対応する非円形状に規定し、前記カバー部材の前記支持部材に対する回転を規制する側面部を備えることが好ましい。
【０００９】
また、前記カバー部材を前記支持部材に固定するカバー固定部材をさらに備え、前記カバー部材は、前記回転軸に平行な方向についての第１の寸法が、前記カバー固定部材の軸線を通り前記回転軸に直交する直線に平行な方向について、前記固定部材の前記カバー固定部材から遠い側の端と前記カバー部材の前記カバー固定部材から遠い側の端との間の第２の寸法より大きいことが好ましい。
【００１０】
また、前記頭部は、前記回転軸に垂直な断面が非円形状である係合溝を備え、前記カバー部材は、前記回転軸に垂直な断面が前記係合溝に対応する非円形状であり、前記係合溝に係合することにより前記固定部材と前記カバー部材との間で互いに対する回転が規制される係合突起を備えることが好ましい。
【００１１】
また、前記カバー部材は、前記支持部材より低比重かつ低ヤング率に形成されることが好ましい。
【００１２】
さらに、前記カバー部材は、前記支持部材の外表面より外側に前記凹状部から突出していないことが好ましい。
【発明の効果】
【００１３】
魚釣り用スピニングリールでは、固定部材の頭部にカバー部材が被覆されている。このため、固定部材に汚れが付着し難くなる。したがって、ロータとラインローラとの間の連結部のメンテナンスが、行い易くなる。また、カバー部材が設けられているため、固定部材の頭部が露出していない。このため、固定部材の頭部で釣り糸が擦れることはなく、釣り糸の糸切れの発生を防止することができる。
【００１４】
また、カバー部材は、固定部材との間で互いに対する移動が規制された状態で固定部材の頭部に被覆されている。そして、凹状部に設けられる側面部により、カバー部材の支持部材に対する回転が規制されている。このため、固定部材の支持部材に対する回転が規制される。これにより、固定部材の緩みが防止される。以上のように、カバー部材を除いて部品の数を増加させることなく、固定部材の緩みが防止される。このため、製造時の生産性が向上する。
【００１５】
また、カバー部材は、回転軸に平行な方向についての第１の寸法が、カバー固定部材の軸線を通り回転軸に直交する直線に平行な方向について、固定部材のカバー固定部材から遠い側の端とカバー部材のカバー固定部材から遠い側の端との間の第２の寸法より大きい。このため、ロータの回転による遠心力や、衝突した物体の衝撃力がカバー部材に加わった場合も、カバー部材を固定部材の頭部から取り外す力に対する抵抗が大きくなる。したがって、ロータを高速回転させている間等の釣りの最中にカバー部材が凹状部から取り外れることを防止できる。
【００１６】
また、頭部には係合溝が形成され、係合溝は回転軸に垂直な断面が非円形状に形成されている。そして、カバー部材は、回転軸に垂直な断面が係合溝に対応する非円形状に形成される係合突起を備える。係合突起が係合溝に係合することにより、固定部材とカバー部材との間で互いに対する回転が規制された状態で、カバー部材が固定部材の頭部に被覆される。したがって、狭小なスペースでも、固定部材とカバー部材との間で互いに対する回転を規制することが可能となる。これにより、凹状部の大きさを最小限に抑えることができる。
【００１７】
また、カバー部材は、支持部材より低比重かつ低ヤング率に形成されている。このため、ロータの回転による遠心力や、衝突した物体の衝撃力がカバー部材に加わった場合も、カバー部材は微小な変形に対応可能である。したがって、振動による異音の発生を防止することができる。
【００１８】
さらに、カバー部材は、支持部材の外表面より凹状部から突出していない。このため、ロータの回転時等に物体がカバー部材に衝突し難い。また、物体がカバー部材に接触した場合も、衝撃力を最小限に抑えることができる。
【図面の簡単な説明】
【００１９】
【図１】本発明の第１の実施形態に係るスピニングリールを示す側面図。
【図２】第１の実施形態に係るスピニングリールの第１のベール支持部材とラインローラとの間の連結部の構成を示す正面図。
【図３】第１の実施形態に係るスピニングリールの第１のベール支持部材とラインローラとの間の連結部の構成を部材ごとに分解して示す正面図。
【図４】図２のＩＶ−ＩＶ線断面図。
【図５】本発明の第２の実施形態に係るスピニングリールの第１のベール支持部材とラインローラとの間の連結部の構成を示す正面図。
【図６】第２の実施形態に係るスピニングリールの第１のベール支持部材とラインローラとの間の連結部の構成を部材ごとに分解して示す正面図。
【図７】図５のＶＩＩ−ＶＩＩ線断面図。
【図８】本発明の第３の実施形態に係るスピニングリールの第１のベール支持部材とラインローラとの間の連結部の構成を示す正面図。
【図９】第２の実施形態に係るスピニングリールの第１のベール支持部材とラインローラとの間の連結部の構成を部材ごとに分解して示す正面図。
【図１０】図８のＸ−Ｘ線断面図。
【図１１】本発明の第４の実施形態に係るスピニングリールの第１のベール支持部材とラインローラとの間の連結部の構成を示す正面図。
【図１２】第４の実施形態に係るスピニングリールの第１のベール支持部材とラインローラとの間の連結部の構成を部材ごとに分解して示す正面図。
【図１３】図１１の１３−１３線断面図。
【図１４】第４の実施形態に係るスピニングリールのカバー部材を示す側面図。
【発明を実施するための形態】
【００２０】
（第１の実施形態）  
本発明の第１の実施形態について、図１乃至図４を参照して説明する。図１は、魚釣り用のスピニングリール１を示す図である。図１に示すように、スピニングリール１は、リール本体２を備える。リール本体２には、釣竿（図示しない）に取付けられる脚部３が設けられている。また、リール本体２には、ハンドル４が回転可能に取付けられている。リール本体２の前方方向側には、ハンドル４での回転操作に対応して回転するロータ６と、釣り糸が巻回されるスプール８とが設けられている。スプール８は、ロータ６の回転に同期して、前後方向に移動する。
【００２１】
リール本体２の内部には、ハンドル４を回転することにより回転するドライブギア（図示しない）が設けられている。ドライブギアには、ピニオンギア（図示しない）が噛合されている。ピニオンギアの前方方向側には、ロータ６が連結されている。また、ピニオンギアには、スプール軸（図示しない）が軸方向に移動可能に挿通されている。スプール軸の前方方向側には、スプール８が取付けられている。スプール軸の後方方向側には、ドライブギアの駆動によりスプール軸を前後方向に移動させるオシレーティング機構（図示しない）が連結されている。
【００２２】
ロータ６は、第１のアーム部１０と、第１のアーム部１０に対向して設けられる第２のアーム部（図示しない）とを備える。第１のアーム部１０には、支持部材である第１のベール支持部材１２を介して、ラインローラ１４が連結されている。ラインローラ１４は、釣り糸巻回時にスプール８へ釣り糸を案内する。第１のベール支持部材１２は、第１のアーム部１０に回動軸１６を介して回動可能に連結されている。また、第２のアーム部には、第２のベール支持部材（図示しない）が回動可能に連結されている。
【００２３】
また、ベール１８が、第１のベール支持部材１２から第２のベール支持部材まで延設されている。第１のベール支持部材１２側には、支軸部材２０が設けられている。支軸部材２０を介して、ベール１８が第１のベール支持部材１２に連結される。ラインローラ１４は、支軸部材２０により、ラインローラ１４の中心軸に沿う回転軸Ｃを中心として回転可能に支持されている。ベール１８は、第１のベール支持部材１２、第２のベール支持部材、支軸部材２０及びラインローラ１４と一体に、第１のアーム部１０及び第２のアーム部に対して、釣り糸放出位置（図示しない）と釣り糸巻回位置（図１に示す位置）との間で回動可能である。
【００２４】
釣り糸巻回時際には、ハンドル４を回転させることにより、ロータ６が回転する。また、ロータ６の回転に同期して、スプール軸が軸方向に移動する。スプール軸が移動することにより、スプール８が前後方向に移動する。ロータ６の回転及びスプール８の移動により、ラインローラ１４を介して釣り糸がスプール８に片寄ることなく均等に巻回される。
【００２５】
図２乃至図４は、第１のベール支持部材１２とラインローラ１４との間の連結部の構成を示す図である。なお、以下の説明では、ラインローラ１４の回転軸Ｃに平行な方向の一方を第１の方向（図４の矢印Ａ１の方向）とする。また、第１の方向と反対方向を第２の方向（図４の矢印Ａ２の方向）とする。すなわち、ラインローラ１４の第１の方向側に支軸部材２０が設けられ、ラインローラ１４の第２の方向側に第１のベール支持部材１２が設けられている。
【００２６】
図２乃至図４に示すように、支軸部材２０は、固定部材である固定ボルト２２を介して、第１のベール支持部材１２に固定されている。固定ボルト２２は、頭部２４と、雄ネジ部（軸部）２６とを備える。頭部２４は、雄ネジ部２６より第２の方向側に位置し、雄ネジ部２６より大径である。
【００２７】
固定ボルト２２の頭部２４の外周面は、回転軸Ｃに垂直な断面が円形状に形成されている。また、頭部２４の第２の方向側の面には、係合溝２５が形成されている。係合溝２５は、回転軸Ｃに垂直な断面が非円形状である六角形状に形成されている。
【００２８】
第１のベール支持部材１２は、ガラス繊維又はカーボン繊維により強化されたナイロン樹脂、ＡＢＳ樹脂、ＰＣ（ポリカーボネイト）樹脂等から形成されている。このため、第１のベール支持部材１２は、比重が１．７程度、ヤング率が１０〜５０ＧＰａ程度となっている。第２のベール支持部材もこれと同様に形成することにより、スピニングリール１の軽量化を図るとともに、変形が抑えられロータ６の回転時のバランスが保たれている。
【００２９】
図４に示すように、第１のベール支持部材１２は、外表面２８から凹状に形成される凹状部３０を備える。凹状部３０は、第１の方向に向かって凹状に設けられている。凹状部３０には、固定ボルト２２の頭部２４が位置している。図２及び図３に示すように、凹状部３０は、回転軸Ｃに垂直な断面を非円形状に規定する側面部３２を備える。本実施形態では、凹状部３０の回転軸Ｃに垂直な断面は、回転軸Ｃより前方方向側（先端側）が略半円状で、回転軸Ｃより後方方向側（基端側）が後方方向に向かって幅寸法が小さくなる略三角形状の非円形状に規定されている。また、第１のベール支持部材１２には、凹状部３０の底面から回転軸Ｃに沿って第１のベール支持部材１２を貫通する貫通孔３４が設けられている。さらに、第１のベール支持部材１２の回転軸Ｃより前方方向側の部位には、係合溝３６が設けられている。
【００３０】
図４に示すように、支軸部材２０は、ベール取付け部３９と、ラインローラ１４を支持する支軸部４０を備える。支軸部４０は、ベール取付け部３９から第２の方向へ（第１のベール支持部材１２向かって）突出する状態で設けられている。支軸部４０の外周面には、軸受け４２が設けられている。ラインローラ１４は、支軸部４０により、軸受け４２を介して回転軸Ｃを中心に回転可能に支持されている。支軸部４０には、固定ボルト２２の雄ネジ部２６と螺合する雌ネジ部（挿入凹部）４４が形成されている。固定ボルト２２の雄ネジ部２６は、第１のベール支持部材１２の貫通孔３４を通って、支軸部４０の雌ネジ部４４と螺合する。これにより、支軸部材２０が第１のベール支持部材１２に固定される。
【００３１】
また、支軸部材２０の前方方向側の部位には、ベール取付け部３９から第１のベール支持部材１２に向けて突出する突出部４６が設けられている。突出部４６は、第１のベール支持部材１２の係合溝３６と係合する。この係合により、支軸部材２０に対する第１のベール支持部材１２の回転が規制される。また、突出部４６により、釣り糸のからみが防止される。また、第１のベール支持部材１２とラインローラ１４との間には、スペーサーとして筒状部材４８が設けられている。ラインローラ１４及び軸受け４２は、筒状部材４８により位置決めされている。
【００３２】
図２乃至図４に示すように、スピニングリール１は、固定ボルト２２の頭部２４に被覆されるカバー部材（キャップ）５０を備える。カバー部材５０は、回転軸Ｃに垂直な断面が第１のベール支持部材１２の凹状部３０に対応する非円形状に形成されている。すなわち、本実施形態ではカバー部材５０の回転軸Ｃに垂直な断面は、回転軸Ｃより前方方向側が略半円状で、回転軸Ｃより後方方向側が後方方向に向かって幅寸法が小さくなる略三角形状の非円形状に規定されている。このため、凹状部３０の側面部３２により、回転軸Ｃを中心としたカバー部材５０の第１のベール支持部材１２に対する回転（移動）が規制される。すなわち、凹状部３０の側面部３２が、カバー部材５０の第１のベール支持部材１２に対する回転を規制する規制部となっている。
【００３３】
カバー部材５０は、ＡＢＳ樹脂、ＰＣ樹脂、ナイロン樹脂、ＰＰ（ポリプロピレン）樹脂等から形成されている。そしてカバー部材５０は、比重が１．１程度、ヤング率が２〜３ＧＰａ程度となっている。すなわち、カバー部材５０は、第１のベール支持部材１２より低比重かつ低ヤング率に形成されている。
【００３４】
カバー部材５０は、固定ビス等のカバー固定部材５２により、第１のベール支持部材１２に固定されている。カバー固定部材５２は、回転軸Ｃに平行な軸線Ｓを有する。カバー部材５０には、カバー固定部材５２が挿通される貫通孔５４が形成されている。貫通孔５４は、回転軸Ｃより後方方向側（ロータ６側）に設けられている。このため、カバー固定部材５２は、回転軸Ｃより後方方向側に位置している。また、第１のベール支持部材１２には雌ネジ部（凹状部）５６が設けられている。カバー固定部材５２には、第１のベール支持部材１２の雌ネジ部５６に螺合する雄ネジ部（軸部）５８が設けられている。カバー固定部材５２の雄ネジ部５８が貫通孔５４を通って雌ネジ部５６に螺合することにより、カバー部材５０が第１のベール支持部材１２に固定される。
【００３５】
なお、カバー固定部材５２は、カバー部材５０の外表面６０より外側に突出していないことが好ましい。例えば、カバー固定部材５２が皿ネジ等であり、頭部がカバー部材５０に埋没されることが好ましい。ただし、カバー固定部材５２への釣り糸の引っ掛かりが防止される構成であれば、中央部が盛り上がった状態で突出してもよい。
【００３６】
カバー部材５０は、固定ボルト２２の頭部２４の係合溝２５に係合する係合突起（相対回転規制部）６２を備える。係合突起６２は、回転軸Ｃに垂直な断面が係合溝２５に対応する非円形状である六角形状に形成されている。係合突起６２が係合溝２５に係合することにより、固定ボルト２２とカバー部材５０との間で互いに対する回転軸Ｃを中心とした回転（移動）が規制された状態で、カバー部材５０が固定ボルト２２の頭部２４に取り付けられる。上述のように、カバー部材５０の第１のベール支持部材１２に対する回転は、規制されている。このため、カバー部材５０と固定ボルト２２との間で互いに対する回転が規制されることにより、固定ボルト２２の第１のベール支持部材１２に対する回転が規制される。これにより、固定部材である固定ボルト２２の緩みが防止される。
【００３７】
なお、本実施形態では、係合溝２５及び係合突起６２は、回転軸Ｃに垂直な断面が六角形状に形成されているが、これに限るものではない。すなわち、係合溝２５及び係合突起６２は、回転軸Ｃに垂直な断面が例えば四角形状等の非円形状に形成されていればよい。
【００３８】
回転軸Ｃに平行な方向（第１の方向及び第２の方向）についてのカバー部材５０の寸法（第１の寸法）Ｈは、３．４ｍｍ程度となっている。カバー部材５０の第２の方向側の端は、回転軸Ｃと平行な方向について第１のベール支持部材１２の外表面２８と同位置、又は、外表面２８より第１の方向側に位置している。このため、カバー部材５０は、第１のベール支持部材１２の外表面２８より外側に凹状部３０から突出していない。
【００３９】
また、カバー固定部材５２の軸線Ｓを通り、回転軸Ｃに直交する直線Ｌを規定する。直線Ｌに平行な方向について固定ボルト２２のカバー固定部材５２から遠い側の端とカバー部材５０のカバー固定部材５２から遠い側の端との間の寸法（第２の寸法）Ｗは、２．１ｍｍ程度となっている。すなわち、カバー部材５０の高さ方向の寸法Ｈが幅方向の寸法Ｗより大きくなっている。
【００４０】
そこで、上記構成のスピニングリール１では、以下の効果を奏する。すなわち、スピニングリール１では、固定部材である固定ボルト２２の頭部２４にカバー部材５０が被覆されている。このため、固定ボルト２２に汚れが付着し難くなる。したがって、ロータ６とラインローラ１４との間の連結部のメンテナンスが、行い易くなる。また、カバー部材５０が設けられているため、固定ボルト２２の頭部２４が露出していない。このため、固定ボルト２２の頭部２４で釣り糸が擦れることはなく、釣り糸の糸切れの発生を防止することができる。
【００４１】
また、カバー部材５０は、固定ボルト２２との間で互いに対する回転が規制された状態で固定ボルト２２の頭部２４に被覆されている。そして、凹状部３０に設けられる規制部である側面部３２により、カバー部材５０の第１のベール支持部材１２に対する回転が規制されている。このため、固定ボルト２２の第１のベール支持部材１２に対する回転が規制される。これにより、固定部材である固定ボルト２２の緩みが防止される。以上のように、カバー部材５０を除いて部品の数を増加させることなく、固定ボルト２２の緩みが防止される。このため、製造時の生産性が向上する。
【００４２】
また、カバー部材５０は、回転軸Ｃに平行な方向についての寸法Ｈが、カバー固定部材５２の軸線Ｓを通り回転軸Ｃに直交する直線Ｌに平行な方向について、固定ボルト２２のカバー固定部材５２から遠い側の端とカバー部材５０のカバー固定部材５２から遠い側の端との間の寸法Ｗより大きい。このため、ロータ６の回転による遠心力や、衝突した物体の衝撃力がカバー部材５０に加わった場合も、カバー部材５０を固定ボルト２２の頭部２４から取り外す力に対する抵抗が大きくなる。したがって、ロータ６を高速回転させている間等の釣りの最中にカバー部材５０が凹状部３０から取り外れることを防止できる。
【００４３】
また、頭部２４には係合溝２５が形成され、係合溝２５は回転軸Ｃに垂直な断面が非円形状である六角形状に形成されている。そして、カバー部材５０は、回転軸Ｃに垂直な断面が係合溝２５に対応する非円形状である六角形状に形成される係合突起６２を備える。係合突起６２が係合溝２５に係合することにより、固定ボルト２２とカバー部材５０との間で互いに対する回転が規制された状態で、カバー部材５０が固定ボルト２２の頭部２４に被覆される。したがって、狭小なスペースでも、固定ボルト２２とカバー部材５０との間で互いに対する回転を規制することが可能となる。これにより、凹状部３０の大きさを最小限に抑えることができる。
【００４４】
また、カバー部材５０は、第１のベール支持部材１２より低比重かつ低ヤング率に形成されている。このため、ロータ６の回転による遠心力や、衝突した物体の衝撃力がカバー部材５０に加わった場合も、カバー部材５０は微小な変形に対応可能である。したがって、振動による異音の発生を防止することができる。
【００４５】
また、カバー部材５０は、第１のベール支持部材１２の第２の方向側の外表面２８より凹状部３０から突出していない。このため、ロータ６の回転時等に物体がカバー部材５０に衝突し難い。また、物体がカバー部材５０に接触した場合も、衝撃力を最小限に抑えることができる。
【００４６】
さらに、カバー部材５０を第１のベール支持部材１２に固定するカバー固定部材５２は、回転軸Ｃより後方方向側に設けられている。第１のベール支持部材１２は、ロータ６の第１のアーム部１０に回動可能に取り付けられている。このため、第１のベール支持部材１２では、前方方向側に向かうほど回動量が大きくなる。したがって、カバー固定部材５２を回転軸Ｃより後方方向側に設けることにより、カバー部材５０を第１のベール支持部材１２により強固に固定することができる。
【００４７】
（第２の実施形態）  
次に、本発明の第２の実施形態について、図５乃至図７を参照して説明する。なお、第１の実施形態と同一の部分及び同一の機能を有する部分については同一の符号を付して、その説明は省略する。
【００４８】
図５乃至図７は、本実施形態の第１のベール支持部材１２とラインローラ１４との間の連結部の構成を示す図である。図５乃至図７に示すように、本実施形態では、カバー部材５０と第１のベール支持部材１２との間に、例えばゴム等の振動減衰部材６６が設けられている。振動減衰部材６６は、第１のベール支持部材１２より振動減衰性が高い。振動減衰部材６６の回転軸Ｃに垂直に切断した断面は、凹状部３０に対応する非円形状に形成されている。また、振動減衰部材６６には、固定ボルト２２が挿通される貫通孔（大孔）６８と、カバー固定部材５２が挿通される貫通孔（小孔）７０とが設けられている。
【００４９】
また、本実施形態では、振動減衰部材６６が設けられているため、回転軸Ｃに平行な方向（厚さ方向）についてのカバー部材３０の寸法Ｈが２．８ｍｍ程度であり、第１の実施形態より小さい。たたし、本実施形態でも寸法Ｈは、寸法Ｗより大きくなっている。ここで、寸法Ｗは、第１の実施形態と同様に、直線Ｌに平行な方向について固定ボルト２２のカバー固定部材５１から遠い側の端とカバー部材５０のカバー固定部材５２から遠い側の端との間の寸法である。
【００５０】
本実施形態のスピニングリール１では、振動減衰部材６６が設けられている。このため、物体が衝突した場合も、衝撃力を吸収することができる。また、振動減衰部材６６により、振動が減衰されるので、異音の発生を抑えることができる。
【００５１】
（第３の実施形態）  
次に、本発明の第３の実施形態について、図８乃至図１０を参照して説明する。なお、第１の実施形態と同一の部分及び同一の機能を有する部分については同一の符号を付して、その説明は省略する。
【００５２】
図８乃至図１０は、本実施形態の第１のベール支持部材１２とラインローラ１４との間の連結部の構成を示す図である。図８乃至図１０に示すように、本実施形態では、固定ボルト２２の頭部２４は、回転軸Ｃに垂直な断面が六角形状に形成されている。頭部２４の第２の方向側の面には、帯状の溝部７１が形成されている。
【００５３】
また、カバー部材５０は、固定ボルト２２の頭部２４に係合する係合溝７２を備える。係合溝７２は、回転軸Ｃに垂直な断面が頭部２４に対応する六角形状に形成されている。係合溝７２が頭部２４に係合することにより、固定ボルト２２とカバー部材５０との間で互いに対する回転が規制された状態で、カバー部材５０が固定ボルト２２の頭部２４に被覆される。
【００５４】
（第４の実施形態）  
次に、本発明の第４の実施形態について、図１１乃至図１４を参照して説明する。なお、第１の実施形態と同一の部分及び同一の機能を有する部分については同一の符号を付して、その説明は省略する。
【００５５】
図１１乃至図１３は、本実施形態の第１のベール支持部材１２とラインローラ１４との間の連結部の構成を示す図である。図１４は、カバー部材５０の構成を示す図である。図１１乃至図１４に示すように、本実施形態では、カバー部材５０に、爪部７４が設けられている。また、凹状部３０には、爪部７４が係止される係止部７６が設けられている。爪部７４が係止部７６に係止されることにより、回転軸Ｃを中心としたカバー部材５０の第１のベール支持部材１２に対する回転が規制される。すなわち、凹状部３０の係止部７４が、カバー部材５０の第１のベール支持部材１２に対する回転を規制する規制部となっている。
【００５６】
また、本実施形態では、第１の実施形態と同様に、凹状部３０は、側面部３２により回転軸Ｃに垂直な断面が非円形状に規定されている。本実施形態では、凹状部３０の回転軸Ｃに垂直な断面は、略六角形状に規定されている。カバー部材５０は、回転軸Ｃに垂直な断面が第１のベール支持部材１２の凹状部３０に対応する非円形状に形成されている。このため、第１の実施形態と同様に、凹状部３０の側面部３２によっても、回転軸Ｃを中心としたカバー部材５０の第１のベール支持部材１２に対する回転が規制される。以上より、凹状部３０は、カバー部材５０の第１のベール支持部材１２に対する回転を規制する規制部として側面部３２及び係止部７６を備えている。
【００５７】
また、本実施形態では、第１の実施形態とは異なり、カバー固定部材５２は、設けられていない。代わりに、爪部７４が係止部７６に係止されることにより、カバー部材５０が第１のベール支持部材１２に固定されている。
【００５８】
また、本実施形態では、第１のベール支持部材１２に孔部（図示しない）を設け、爪部７４を回転軸Ｃに向かって押圧可能であることが好ましい。これにより、カバー部材５０が、第１のベール支持部材１２から取り外すことが容易となる。
【００５９】
なお、上述の実施形態では、第１のベール支持部材１２に固定される支軸部材２０は一体に形成されているが、これに限るものではない。例えば別の態様では、ベール取付け部３９と支軸部４０とが別体に形成されている。また、ベール１８を持たないタイプの魚釣用リールにも適用することができる。すなわち、固定部材である固定ボルト２２により、ラインローラ１４を支持する支軸部材２０が取付けられるものであれば、適用することができる。
【００６０】
以上、本発明の実施形態について説明したが、本発明は上記の実施形態に限定されるものではなく、本発明の要旨を逸脱しない範囲で種々の変形ができることは勿論である。
【符号の説明】
【００６１】
１…スピニングリール、２…リール本体、６…ロータ、１０…第１のアーム部、１２…第１のベール支持部材、１４…ラインローラ、２０…支軸部材、２２…固定ボルト、２４…頭部、３０…凹状部、３２…側面部、４０…支軸部、５０…カバー部材、５２…カバー固定部材。
【図１】
2012095569.tif 000003
【図２】
2012095569.tif 000004
【図３】
2012095569.tif 000005
【図４】
2012095569.tif 000006
【図５】
2012095569.tif 000007
【図６】
2012095569.tif 000008
【図７】
2012095569.tif 000009
【図８】
2012095569.tif 000010
【図９】
2012095569.tif 000011
【図１０】
2012095569.tif 000012
【図１１】
2012095569.tif 000013
【図１２】
2012095569.tif 000014
【図１３】
2012095569.tif 000015
【図１４】
2012095569.tif 000016